(57)【要約】【課題】  トレイのディスク搭載部を光らせることができ、イルミネーション効果にも優れたディスク駆動装置の提供する。【解決手段】  トレイ６は光透過性材料により形成され、ディスクを配置するためのディスク搭載部７，８を有している。トレイ６は筐体に対して排出方向及び挿入方向に移動自在とされている。光源１１はディスク搭載部７，８に対して挿入方向側のトレイ６内部に装着されている。光源１１は、トレイ６の排出方向に光を出射して、光をトレイ６のディスク搭載部７，８に対する挿入方向側から排出方向側までに亘って光透過性材料の内部に導通させて、トレイ６を発光させる。【選択図】      図２
2006004589.tif 000002
【特許請求の範囲】
【請求項１】
ディスクを駆動するディスク駆動装置において、
筐体と、
前記ディスクを配置するためのディスク搭載部を有し、前記筐体に対して排出方向及び挿入方向に移動自在とされた光透過性材料により形成されたトレイと、
前記ディスク搭載部に対して前記挿入方向側の前記トレイ内部に装着され、前記トレイの前記排出方向に光を出射して、前記光を前記トレイの前記ディスク搭載部に対する前記挿入方向側から前記排出方向側までに亘って前記光透過性材料の内部に導通させて前記トレイを発光させる光源とを備えて構成したことを特徴とするディスク駆動装置。
【請求項２】
前記トレイは、前記光源から出射した光を集中的に外部へと放射させる光輝部を有することを特徴とする請求項１記載のディスク駆動装置。
【請求項３】
前記光輝部は、前記トレイの前記排出方向の前端部を含むことを特徴とする請求項２記載のディスク駆動装置。
【請求項４】
前記光輝部は、前記ディスク搭載部の外周縁を含むことを特徴とする請求項２記載のディスク駆動装置。
【請求項５】
前記トレイの板厚は、前記トレイの前記挿入方向側から前記排出方向側に向かって漸次小さくなっていることを特徴とする請求項１ないし４のいずれかに記載のディスク駆動装置。
【請求項６】
前記トレイが前記筐体より排出された状態のとき、前記光源は前記筐体内部に隠れていることを特徴とする請求項１ないし５のいずれかに記載のディスク駆動装置。
【請求項７】
前記光源を点灯させるため前記筐体の内部に固設された回路基板と、前記光源と前記回路基板とを接続する可撓性通電部材とを有することを特徴とする請求項１ないし６のいずれかに記載のディスク駆動装置。
【請求項８】
ディスクを駆動するディスク駆動装置において、
第１の径を有する第１のディスクを配置する第１のディスク搭載部と、前記第１のディスク搭載部の内側に形成され、前記第１の径より小径の第２の径を有する第２のディスクを配置する第２のディスク搭載部とを有するトレイと、
前記第１のディスク搭載部の内側であり前記第２のディスク搭載部の外側を第１の色で発光させる第１の光源と、
前記第２のディスク搭載部の内側を前記第１の色とは異なる第２の色で発光させる第２の光源とを備えて構成したことを特徴とするディスク駆動装置。
【発明の詳細な説明】
【技術分野】
【０００１】
本発明は、ＣＤ（コンパクトディスク），ＣＤ−Ｒ（コンパクトディスク・レコーダブル），ＤＶＤ（デジタル・バーサタイル・ディスク）等のディスク状情報記録媒体（以下、単にディスクと略記する）に音楽や映像等の情報を記録したり、その記録情報を再生するのに用いられるディスク駆動装置に係り、特にディスクを載せるための出し入れ可能なトレイを具備したディスク駆動装置に関する。
【背景技術】
【０００２】
従来、ディスク駆動装置として、ディスクを手で出し入れするもの、マガジンに装填された多数のディスクの中から選択された一枚を自動的に出し入れするオートチェンジャ機能を備えたもの、及びディスクをトレイに載せて出し入れするものなどが知られている。
【０００３】
このうち、トレイを備えたディスク駆動装置によれば、ディスクの再生時などに際して所望のディスクをトレイに載せ、その状態でトレイを筐体内部に押し込むと、ディスクがその中心部をターンテーブルとクランプ盤とで挟み込まれてトレイ上に浮上した状態で支持され、ディスクを交換するときなどにはディスクがトレイ上に戻されて筐体外部へのトレイの排出が行われる。なお、トレイにはディスク中心部のクランプ動作などが適切に行われるようディスクを定位置に配置する円形凹状のディスク搭載部が形成される。
【０００４】
しかし、暗所ではディスク搭載部の位置を明確に視認することができず、ディスク搭載部へのディスクの配置、及びそこに配置されたディスクの取り出しが困難になることがある。
【０００５】
そこで、トレイの内部に発光体を取り付け、その発光体によりトレイの前面部とディスク搭載部との照明を行うようにしたものが提案されている（実開昭６０−１９４７９７号公報（特許文献１））。
【０００６】
また、ディスクの有無を外部から視認できるようにすることを目的として、トレイの前面にプリズムを設ける一方、筐体の内側上部にトレイ上のディスクを照らすための光源とディスクからの反射光をプリズムに導くための反射板とを設けた装置が提案されている（実開昭６２−３９２９４号公報（特許文献２））。
【０００７】
さらに、トレイのディスク搭載部（収容部）外周部に蓄光材を設けると共に、装置本体内におけるトレイの上方位置に蓄光材を発光させるための光源を設けた装置が提案されている（特開２００３−１６７６９号公報（特許文献３））。また、トレイの両側縁を切り欠き、その切欠部に円弧状の半透明部材を取り付け、その半透明部材から発光ダイオードの光が放射されるようにした装置が提案されている（特開２００３−５９１５７号公報（特許文献４））。
【０００８】
【特許文献１】実開昭６０−１９４７９７号公報
【特許文献２】実開昭６２−３９２９４号公報
【特許文献３】特開２００３−１６７６９号公報
【特許文献４】特開２００３−５９１５７号公報
【発明の開示】
【発明が解決しようとする課題】
【０００９】
上記の特許文献２または３に記載の構成においては、光源をトレイとは別の場所に設けているので筐体内部などに光源の配置スペースを確保する必要があり、装置の大型化を招いたり、トレイとは別部材であるプリズムや反射板を設ける必要があるので、コスト高になるという問題がある。また、光源を筐体の内側上部に固設しているので、トレイの排出時にディスクの配置領域（ディスク搭載部）を明示し得るに足る光量を得難い。
【００１０】
上記の特許文献１または４に記載の構成においては、光源をトレイに設けてはいるが、光源の近傍しか発光させることができず、ディスク搭載部の全体やトレイの全体を光らせることが困難である。ディスク搭載部は、直径が異なる大小２種類のディスクを定位置に配置できる構成とされることが通例であるが、従来装置では暗所における大小２種類のディスクの配置位置を判別することは困難である。
【００１１】
さらには、トレイが筐体内に挿入された状態では、ディスクの有無や種類を認識することはできない。この種の装置では液晶パネルなどからなる表示部を備え、その表示部にディスクの有無、種類（ＣＤ，ＤＶＤ等）、再生動作や記録動作といった筐体内の駆動部の動作状態（ＰＬＡＹ，ＲＥＣ等）が文字表示されるようになっているが、その表示文字は小さく遠方から視認することは極めて困難である。車載用のものでは表示文字の確認は運転の妨げとなりやすいので改善が望まれていた。
【００１２】
本発明は以上のような事情に鑑みてなされたものであり、その目的は、装置の大型化やコスト高を極力招くことなく、トレイのディスク搭載部を光らせることができるディスク駆動装置を提供することである。他の目的はディスク搭載部の全体またはトレイの全体を光らせることができイルミネーション効果にも優れたディスク駆動装置を提供することである。
【課題を解決するための手段】
【００１３】
本発明は上記目的を達成するため、ディスク（Ｄ）を駆動するディスク駆動装置において、筐体（１）と、前記ディスクを配置するためのディスク搭載部（７，８，７０，８０，７２，８２）を有し、前記筐体に対して排出方向及び挿入方向に移動自在とされた光透過性材料により形成されたトレイ（６，６０，６２）と、前記ディスク搭載部に対して前記挿入方向側の前記トレイ内部に装着され、前記トレイの前記排出方向に光を出射して、前記光を前記トレイの前記ディスク搭載部に対する前記挿入方向側から前記排出方向側までに亘って前記光透過性材料の内部に導通させて前記トレイを発光させる光源（１１）とを備えて構成したことを特徴とするディスク駆動装置を提供する。
【００１４】
ここで、前記トレイは、前記光源から出射した光を集中的に外部へと放射させる光輝部（１２）を有することが好ましい。
【００１５】
前記光輝部は、前記トレイの前記排出方向の前端部（６Ａ，６０Ａ，６２Ａ）を含むことが好ましい。また、前記光輝部は、前記ディスク搭載部の外周縁（７Ａ，８Ａ，７０Ａ，７０Ｂ，７１，８０Ａ）を含むことが好ましい。
【００１６】
さらに、前記トレイの板厚は、前記トレイの前記挿入方向側から前記排出方向側に向かって漸次小さくなっていることが好ましい。
【００１７】
また、前記トレイが前記筐体より排出された状態のとき、前記光源は前記筐体内部に隠れていることが好ましい。
【００１８】
さらに、前記光源を点灯させるため前記筐体の内部に固設された回路基板（１７）と、前記光源と前記回路基板とを接続する可撓性通電部材（１８）とを有することが好ましい。
【００１９】
また、本発明は上記目的を達成するため、ディスク（Ｄ）を駆動するディスク駆動装置において、第１の径を有する第１のディスクを配置する第１のディスク搭載部（７）と、前記第１のディスク搭載部の内側に形成され、前記第１の径より小径の第２の径を有する第２のディスクを配置する第２のディスク搭載部（８）とを有するトレイ（６１）と、前記第１のディスク搭載部の内側であり前記第２のディスク搭載部の外側を第１の色で発光させる第１の光源（２１Ａ）と、前記第２のディスク搭載部の内側を前記第１の色とは異なる第２の色で発光させる第２の光源（２１Ｂ）とを備えて構成したことを特徴とするディスク駆動装置を提供する。
【発明の効果】
【００２０】
本発明によれば、光源をトレイに設けていることから、その配置スペースを筐体内部に確保する必要がなく、装置全体の小型化を図れる。
【００２１】
また、トレイが光透過性材料により形成されることから、それ自体が斬新でデザイン性に優れ、しかもトレイに設けた光源からトレイ内部にその厚さ方向とは直交する方向から光が入射されることから、光源を数多く設けなくてもディスク搭載部の全体またはトレイ全体を光らすことができ、さらにトレイには光源からの入射光を集中的に外部放射させる光輝部が設けられることから、その光輝部を高輝度で発光させてディスク搭載部を明示する目印としたり、イルミネーション効果の向上が図れる。
【００２２】
特に、光輝部が少なくともトレイの排出方向前端部を含み、その排出方向前端部と光源とがディスク搭載部を挟んで対向することから、トレイの排出時においてその前端部に隣接するディスク搭載部の位置が一層明瞭となり、トレイの挿入時（格納時）にもその前端部が筐体前面に位置して視認することができるから優れたイルミネーション効果を得ることができる。
【００２３】
さらに、筐体の内部に固設される回路基板と光源が可撓性通電部材により接続されることから、ディスク交換時などにおけるトレイの移動を確実に行うことができる。
【００２４】
また、第１のディスク搭載部の内側であり第２のディスク搭載部の外側を第１の色で発光させる第１の光源と、第２のディスク搭載部の内側を第１の色とは異なる第２の色で発光させる第２の光源とを備えることにより、優れたイルミネーション効果が得られることに加えて、大小二種類のディスクも暗所において定位置に配置することができる。
【発明を実施するための最良の形態】
【００２５】
以下、添付図面に基づいて本発明の各実施形態を詳しく説明する。
＜第１実施形態＞
図１は第１実施形態のディスク駆動装置を示した斜視概略図であり、図示例の装置はディスクとしてＣＤの記録情報を再生するＣＤプレーヤである。ディスク駆動装置の筐体（外装ほか内部のシャーシを含む）１の前面には、操作部２として内部の制御回路に特定の制御信号を与える操作スイッチ類３と、制御系の作動状態などを示す表示部４と、スリット状の開口部５が設けられている。なお、操作スイッチ類３には主電源スイッチの他、ディスクの駆動開始釦、選曲頭出し、一時停止、イジェクトスイッチ（ディスク排出用）などが含まれる。トレイ６は開口部５から出し入れ可能に設けられており、このトレイ６上には再生すべきディスクＤが載せられる。
【００２６】
そして、係るディスク駆動装置によれば、開口部５より水平に張り出すトレイ６上に所望のディスクＤを載せ、そのディスクＤをトレイ６の押し込みにより筐体１内部に装填して記録情報の再生を実行することができる。ディスクＤを交換するときなどにはイジェクトスイッチの押圧操作によりディスクＤをトレイ６に載せたまま開口部５より筐体１の外部へと排出することができる。
【００２７】
図２はトレイ６を示す平面図である。図２において、トレイ６は全体がアクリル樹脂やポリカーボネートといった光透過性材料（透明材料）から形成されている。トレイ６の全体が一様に透明であることが好ましいが、一部または全体が半透明であってもよい。７，８は同心円状の凹部よりなるディスク搭載部であり、このうち外側のディスク搭載部７には大径のディスク（本例において直径１２cmのＣＤ）が嵌合状態で配置され、その内側に設けられるディスク搭載部８には小径のディスク（本例において直径８cmのＣＤ）が嵌合状態で配置可能とされる。なお、特に区別しない場合は、大径のディスク及び小径のディスクをディスクＤと総称することとする。
【００２８】
また、トレイ６の中央部にはディスク搭載部７，８の中心部から排出方向後部（即ち、筐体１の方向）に亘って切欠孔９が開設される。この切欠孔９はディスク搭載部７，８に配置されたディスクＤの下方からその情報記録面にレーザ光を照射するためのものである。切欠孔９はレーザ光を送受しながらディスクＤの半径方向に移動するここでは図示せぬ光ピックアップの移動経路に沿って形成され、切欠孔９の一端部ではディスクＤの下面中心部を支持する後述のターンテーブルが通過し得るようになっている。
【００２９】
さらに、トレイ６にはディスク搭載部７，８よりも後部（挿入方向側）に２つの光源取付部１０（本例において矩形の孔）が形成されている。そして、光源取付部１０にはその前端面に臨んで発光ダイオードからなる光源１１が設けられ、その光源１１からディスク搭載部７，８が形成されるトレイ６の排出方向前方に向かって照明用の光が放たれるようにしてある。ここで、トレイ６は光透過性を有することから、光源１１より発せられた光はトレイ６の厚さ方向とは直交する方向からトレイ６の内部に入射し、その入射光がトレイ６の内部（即ち、光透過性材料の内部）を透過して入射光の一部が段差を有するディスク搭載部７，８の後部外周縁７Ａ，８Ａより集中的に外部放射される。よって、ディスク搭載部７，８の後部外周縁７Ａ，８Ａは光輝部１２として高輝度で発光する。
【００３０】
また、光源１１から発せられた光の多くはトレイ６の排出方向前端部６Ａまで達し、ここからも集中的に外部放射される。よって、トレイ６の排出方向前端部６Ａも光輝部１２として他の部位より高輝度で発光する。このため、暗所などにおいてイルミネーション効果が得られ、しかもディスク搭載部７，８の前後が光輝部１２として高輝度で発光することにより暗所でもディスクＤを配置すべき位置が明確となる。
【００３１】
なお、光の進行方向に対して所定の角度（約３０度）以上で交わる面であれば、視認方向に光を放射して高輝度で発光する光輝部１２となり得るが、これは平面に限らず曲面で形成することもできる。
【００３２】
そして、第１実施形態によれば、光輝部１２を形成するトレイ６の排出方向前端部６Ａがディスク搭載部７，８を挟んで光源１１と対向状態に設けられており、光源１１から発せられた光はトレイ６のディスク搭載部７，８に対する挿入方向側から排出方向側までに亘って光透過性材料の内部を導通して排出方向前端部６Ａに達するので、トレイ６の全体がほのかに発光する。さらに、ディスク搭載部７，８の後部外周縁７Ａ，８Ａ及び排出方向前端部６Ａが光輝部１２として作用することにより、ディスク搭載部７，８の光学的視認効果が上がる。
【００３３】
本例ではより好ましい形態として次のように構成している。トレイ６の排出方向前端部６Ａを光輝部１２として集中的に発光させるため、係る集光手段として図３のようにトレイ６をその板厚が排出方向後部から前方に向かって漸次小さくなるテーパ形とする他、トレイ６の排出方向前端部６Ａと光源１１との間に指を差し込む孔などを形成しないようにして光の漏れ出しを防止し、加えてトレイ６の表面を凹凸の少ない鏡面として光の減衰を防止している。
【００３４】
さらに、トレイ６の排出方向前端部６Ａにおいては、図４のように光輝部１２としてトレイ６の板面に直角な凸条１２Ａを形成し、その凸条１２Ａを放射光が散乱するような多角形状にすると共に、光源１１からの光を凸条１２Ａ内に効率よく導くため凸条１２Ａの下部には光を屈折させるための斜面１２Ｂを形成している。
【００３５】
一方、図５のように、トレイ６の裏側側縁にはラック１３及びガイド溝１４が平行に形成されている。ラック１３には筐体１の内部に設けられる図示せぬピニオンが噛み合わされ、ガイド溝１４には図示せぬピンが差し込まれる。この構成により、トレイ６は上記ピニオンの回転駆動により水平状態を保ったまま前後（筐体１に対する排出方向及び挿入方向）に往復移動して筐体１の内外に出し入れされるようになる。
【００３６】
図６は、トレイ６が筐体１の内部に引き込まれて格納された状態であり、このときディスク搭載部７，８に配置されたディスクＤの中心はターンテーブル１５とこれに対向するクランプ盤１６の位置に合致する。そして、ディスクＤを再生するときなどには、ターンテーブル１５の浮上によりディスクＤの中心がターンテーブル１５とクランプ盤１６とで挟み込まれ、ディスクＤがディスク搭載部７，８からやや離間した位置で回転されることになる。なお、図６において、１７は光源１１を点灯させるための回路基板であり、これはトレイ６の下方で筐体１の内部に固設され、光源１１とはトレイ６の移動を阻害せぬよう可撓性通電部材１８（帯状のフレキシブルプリント配線）にて接続される。つまり、可撓性通電部材１８は可撓性を有することは勿論、トレイ６の移動量を考慮して長さが決められ、トレイ６の排出時も光源１１と接続状態を保って必要な電力を供給できるようにしてある。
【００３７】
また、図６から明らかなように、トレイ６の格納時においてその排出方向前端部６Ａ（光輝部１２）は筐体１の前面開口部５の位置にあって、外部に露出するようになっている。よって、トレイ６の格納時にも光源１１の点灯により開口部５の位置を光らせて優れたイルミネーション効果を得ることができる。
【００３８】
一方、図７はトレイ６が排出された状態であり、このとき開口部５からはディスク搭載部７，８を含むトレイ６の前方部分が張り出し、光源取付部１０を含むトレイ６の後部は筐体１の内部に残される。このため、トレイ６の排出時も光源１１は外部に現れず、これが筐体１内に隠されて美観を損ねないようになっている。また、トレイ６の排出時も光源１１の点灯により排出方向前端部６Ａを含む光輝部１２が高輝度で発光するためイルミネーション効果が発揮される。特に、上記のように光輝部１２を形成するディスク搭載部７，８の前後（トレイ６の排出方向前端部６Ａ及びディスク搭載部の後部外周縁７Ａ，８Ａ）が高輝度で発光し、ディスク搭載部７，８の内側領域も低輝度ながら発光するため暗所でもディスクの配置並びに取り出しを容易に行うことができる。
【００３９】
以上、本発明の好適な一例を説明したが、光源１１は上記例のようにディスク搭載部７，８よりもトレイ６の排出方向後部に設けることに限らず、トレイ６の内部にその厚さ方向とは直交する方向から光を入射させ、その入射光がトレイ６の内部を透過して光源１１と離間した位置に設けた光輝部１２から集中的に外部放射される構成であればよい。よって、光源１１の位置は、必ずしもトレイ６の排出方向後部に限定するものでないが、ディスク搭載部７，８に向かって光が放たれるような配置が好ましい。
【００４０】
＜第２実施形態＞
トレイ６は光源１１とこれに対応する光輝部１２を備えていればよく、全体の形態は第１実施形態に限定されず、例えば図８のような第２実施形態に変更してもよい。第２実施形態は、第１実施形態におけるトレイ６の代わりに図８に示すトレイ６０を用いた点でのみ第１実施形態と相違するので、トレイ６０についてのみ説明し、他の説明は省略する。なお、図８において、図２と実質的に同一の部分には同一の符号を付すことがある。
【００４１】
図８において、トレイ６０の排出方向前端部６０Ａは、多角形状の凸条１２０Ａと光源１１からの光を凸条１２０Ａに導くための斜面１２０Ｂとを含む光輝部１２とされる点で第１実施形態と同様であるが、第２実施形態におけるトレイ６０の排出方向前端部６０Ａは円弧状でなく直線状の光輝部１２とされる。また、図８において、ディスク搭載部７０は、トレイ６０の排出方向後部側を部分的に立ち上げた円弧状の壁面よりなる後部外周縁７０Ａ，７０Ａと、トレイ６０の排出方向前部側に設けた突起７０Ｂ，７０Ｂとにより形成され、その後部外周縁７０Ａと突起７０Ｂの内側で大径ディスクの周縁部が支持されるようにしてある。また、トレイ６０の排出方向前部には突起７０Ｂの位置を通る円弧溝７１が形成され、その円弧溝７１がディスク搭載部７０に配置されたディスクの周縁部に沿うようにしてある。突起７０Ｂと円弧溝７１はディスク搭載部７０の前部外周縁を形成している。
【００４２】
そして、本例においてもトレイ６０の排出方向後部に光源１１が設けられ、その光源１１から放たれた光が光透過性材料からなるトレイ６０の内部を透過してディスク搭載部７０，８０の後部外周縁７０Ａ，８０Ａ、突起７０Ｂ、円弧溝７１、及びトレイ６０の排出方向前端部６０Ａから集中的に外部へと放射される。つまり、第２実施形態において、ディスク搭載部７０，８０の後部外周縁７０Ａ，８０Ａ、突起７０Ｂの前面部、円弧溝７１内における光源１１側の面、及びトレイ６０の排出方向前端部６０Ａは、光源１１からトレイ６０内に入射された光を集中的に外部へと放射して他の部位より高輝度で発光する光輝部１２とされる。
【００４３】
この第２実施形態においては、ディスク搭載部７０の前部外周縁に円弧溝７１を設けているので、前部外周縁に壁面７０Ａと同様の壁面を設ける場合と比較して、円弧溝７１の部分においてより高輝度で発光する。従って、ディスク搭載部７０の後部外周縁における壁面７０Ａ及び前部外周縁における円弧溝７１の双方で高輝度に発光するので、第１実施形態よりもディスク搭載部７０，８０の光学的視認効果をさらに得ることができる。
【００４４】
＜第３実施形態＞
次に、図９を用いて第３実施形態について説明する。第３実施形態は、第１実施形態におけるトレイ６の代わりに図９に示すトレイ６１を用いた点でのみ第１実施形態と相違するので、トレイ６１についてのみ説明し、他の説明を省略する。なお、図９において、図２と実質的に同一の部分には同一の符号を付すことがある。
【００４５】
図９において、２１Ａはディスク搭載部７に対応する光源、２１Ｂはディスク搭載部８に対応する光源である。光源２１Ａ，２１Ｂは例えば有機ＥＬ（エレクトロ・ルミネセンス）シートであり、ディスク搭載部７，８の底面に接着剤などにて貼着される。有機ＥＬシートの代わりに無機ＥＬシートや他の発光体シートを用いてもよい。このようにシート状の光源２１Ａ，２１Ｂを用いることにより、ディスク搭載部７，８は面状に発光する。
【００４６】
光源２１Ａ，２１Ｂには互いに発光色が異なるものが用いられ、ディスク搭載部７，８が別々の色で発光するようにしてある。なお、光源２１Ａはリング状としてディスク搭載部８を除くディスク搭載部７の内側外周部（ディスク搭載部７の内側かつディスク搭載部８の外側部分）に貼着される。また、光源２１Ａ，２１Ｂも図６に示したように筐体１の内部に固設される回路基板１７と可撓性通電部材１８で接続される。よって、それら光源２１Ａ，２１Ｂをトレイ６１の排出時に点灯することにより、ディスク搭載部７，８を別々の色で光らせて暗所でもその位置を明示することができる。なお、第３実施形態においてトレイ６１は光透過性材料で形成されることを要件としない。また、光源２１Ａ，２１Ｂとして発光ダイオードを用い、これをディスク搭載部７，８の周縁に所定の間隔で埋設するようにしてもよい。
【００４７】
＜第４実施形態＞
第４実施形態は第１，第２実施形態と同様のトレイを備えると共に、トレイ上のディスクＤの有無や種類、装置の動作状態の少なくとも１つを容易に認識することができるよう構成したものである。ここで示す第４実施形態は、第１実施形態におけるトレイ６の代わりに、第２実施形態と同様、図１０，図１１に示すように排出方向前端部を円弧状でなく直線状としたトレイ６２を用いている。第１実施形態のトレイ６のように円弧状であってもよい。なお、図１１において、図２と実質的に同一の部分には同一の符号を付すことがある。第４実施形態において第１実施形態と共通部分の説明は適宜省略する。
【００４８】
図１１において、トレイ６２はその全体が光透過性材料（例えば、アクリル樹脂やポリカーボネートからなる透明材料）から形成される。トレイ６２の排出方向前端部は、光源１１からの光を外部に放射するための光放射部６２Ａとされ、その光放射部６２Ａはディスク搭載部７２，８２を形成するトレイ本体６２Ｂに対して着脱自在とされている。トレイ本体６２Ｂの中央部には、ディスク搭載部７２，８２の中心部からその半径方向に沿って切欠孔９２が開設されている。
【００４９】
図１１に示すトレイ６２においては、光源１１より発せられた光はトレイ６２の厚さ方向に対して直交する方向からトレイ６２の内部に入射し、その入射光がトレイ６２の内部を透過し、その一部が段差を有するディスク搭載部７２，８２の後部外周縁より集中的に外部放射される。また、図１２に示すように、光源１１から発せられた光の多くはトレイ６２の排出方向前端部（光放射部６２Ａ）まで達し、その光放射部６２Ａからも光源１１の光が集中的に外部放射される。よって、ディスク搭載部７２，８２の後部外周縁及び光放射部６２Ａは高輝度で発光する。
【００５０】
図１２に示すトレイ６２の先細り形状は、光源１１からの出射光がトレイ６２の表面と裏面との間で全反射する傾き（角度）の範囲内で設定されることが好ましい。これにより、光源１１からの出射光をトレイ６２の表面と裏面との間で全反射させて集光させつつ光放射部６２Ａまで誘導することができる。トレイ６２の先細り形状として、トレイ６２の移動方向に対して図示例のように片面のみに角度を付けるだけでなく、両面に角度を付けるようにしてもよい。係る角度は光源１１の近傍から光放射部６２Ａ側に向かって連続的に付与されることが望ましいが、これが断続的に付与されるものでもよい。
【００５１】
要するに、トレイ６２は光源１１の近傍から排出方向前端部（光放射部６２Ａ）に向かって厚みが漸次減少するよう形成され、少なくとも図１２に示すよう光源１１の近傍の厚さＴ１に対して光放射部６２Ａ側の厚さＴ２が小さく、Ｔ１／Ｔ２＞１となるよう形成されていればよい。Ｔ１／Ｔ２は集光倍率となる。
【００５２】
図１３のように、トレイ６２の裏側の構成は図５と同様である。
【００５３】
図１４は、トレイ６２が筐体１の内部に引き込まれて格納された状態であり、このときディスク搭載部７２に載置されたディスクＤの中心はターンテーブル１５とこれに対向するクランプ盤１６の位置に合致する。そして、ディスクＤを再生するときなどには、ターンテーブル１５の浮上によりディスクＤの中心がターンテーブル１５とクランプ盤１６とで挟み込まれる。ディスクはディスク搭載部７２からやや離間した位置で回転されつつ、その半径方向に移動する光ピックアップ１５０によりディスクＤの信号が読み取られることになる。なお、ターンテーブル１５と光ピックアップ１５０は、ディスクＤに対して再生動作と記録動作を行う駆動部１５５を構成する。
【００５４】
図１４において、１６０は上記の駆動部１５５や光源１１の制御を行う制御回路を構成する制御部（マイクロコンピュータ）であり、制御部１６０はトレイ６２の下方で筐体１の内部に固設され、光源１１とはトレイ６２の移動を阻害しないよう帯状の可撓性通電部材１８にて接続されている。
【００５５】
図１４から明らかなように、トレイ６２を筐体１内に挿入したとき、その排出方向前端部を成す光放射部６２Ａは筐体１前面の開口部５の位置にあって、外部に露出するようになっている。また、光放射部６２Ａは開口部５を密閉する鍔１８０を形成し、筐体１内に塵埃などが侵入するのを防止する。そして、光放射部６２Ａは光源１１からの光を筐体１の外部に放射して開口部５の位置を光らせ、優れたイルミネーション効果を発揮する。
【００５６】
第４実施形態においては、光源１１を構成する発光体が所定の制御情報に基づいて発光制御されるようにしている。制御情報としては、ディスクＤに記録されている特定の識別情報（例えば、ディスクの種類）、筐体１内に挿入されたトレイ６２上におけるディスクＤの有無、ディスクＤのサイズ、トレイ６２の位置情報（排出位置／挿入位置／移動中）、及び駆動部１５５の動作状態（再生動作／記録動作／一時停止／光ピックアップの位置情報等）を用いることができる。
【００５７】
光源１１を発光制御するための制御情報としては、ディスクＤに記録されている特定の識別情報、トレイ６２上におけるディスクＤの有無、ディスクＤのサイズ、トレイ６２の位置情報、駆動部１５５の動作状態のいずれか１つのみでもよく、任意の２つ以上を適宜組み合わせてもよい。
【００５８】
図１５に示すように、光源１１は発光色の異なる複数の発光体１１Ａ，１１Ｂ，１１Ｃ（本例において、赤色ＬＥＤ、緑色ＬＥＤ、青色ＬＥＤの３種から構成される３色ＬＥＤ）からなり、その各発光体１１Ａ〜１１Ｃを上記のような制御情報に基づいて個別に発光制御することにより、光源１１から発せられる光を各発光体１１Ａ〜１１Ｃの光色やこれを合成した種々の色に変化させることができる。発光体は、このように各色毎に独立したものでなくてもよく、例えば樹脂等で封止されて一体化されたものであってもよい。
【００５９】
さらに、光源１１を例えば赤色ＬＥＤと緑色ＬＥＤの２色で構成したり、単色のＬＥＤで構成してもよい。単色のＬＥＤで構成した場合には、上記の制御情報に基づいて点滅周期や発光輝度（光量の強弱）を変化させればよい。
【００６０】
一方、制御部１６０には光ピックアップ１５０や筐体１内に設けられるセンサ１９から得られる上記のような制御情報を格納するためのＲＡＭ２０、及びＲＡＭ２０に格納された制御情報に基づいて光源１１の発光制御を行うプログラムを格納するＲＯＭ２１が設けられており、この制御部１６０によって光源制御手段が構成されている。センサ１９は、トレイ６２上のディスクＤの有無、ディスクＤのサイズ、ディスクＤに記録されている特定の識別情報、トレイ６２の位置情報、駆動部１５５の動作状態の内の少なくとも１つに基づいて制御情報を発生する制御情報発生部として動作する。
【００６１】
ＲＡＭ２０にはディスクＤに記録された特定の識別情報として、例えばディスクＤの内周部リードインエリアに記録されるディスクＤの種類（ＣＤ，ＤＶＤ等）、曲や映画のタイトル、またはアーティスト名といったＴＯＣ（Table of content）情報が光ピックアップ１５０を介して入力される他、上記した筐体１内におけるディスクＤの有無、サイズ、トレイ６２の位置情報、並びに駆動部１５５の動作状態などがセンサ１９を介して入力される。
【００６２】
そして、制御部１６０によれば、ディスクＤに記録された特定の識別情報や駆動部１５５の動作状態などの上記制御情報に基づき、光源１１の各発光体１１Ａ〜１１Ｃを個別に発光制御して光源１１から発せられる光の色、その点滅周期、輝度（光の強弱）といった発光パターンを変化させることができる。その一例として、図１６に制御部１６０による処理の流れを示す。
【００６３】
図１６において、ＲＯＭ２１に格納したプログラムの処理が開始すると、制御部１６０はステップＳ１にてトレイ６２をイジェクトする指示があったか否か判定し、トレイ６２をイジェクトする指示があればステップＳ２にてトレイ６２をイジェクトする。トレイ６２をイジェクトする指示がなければステップＳ５に移る。制御部１６０はステップＳ３にてトレイ６２を格納する指示があったか否か判定し、トレイ６２を格納する指示があればステップＳ４にてトレイ６２を格納してステップＳ５に移る。トレイ６２を格納する指示がなければステップＳ３に戻る。
【００６４】
制御部１６０はステップＳ５にてディスクＤの有無を判定し、ディスクＤがないと判定されればステップＳ６にて光源１１を非点灯としてステップＳ１に戻る。ディスクＤがあると判定されればステップＳ７にてディスクＤの種類を判定する。ステップＳ７ではＴＯＣ情報に基づいてＣＤであるかＤＶＤであるかが判定される。制御部１６０はＣＤであればステップＳ８にて光源１１の赤色ＬＥＤを点灯させ、ＤＶＤであればステップＳ９にて光源１１の青色ＬＥＤを点灯させる。
【００６５】
以上の処理により、ユーザは、筐体内にディスクが挿入されているか否か、ディスクが挿入されている場合にはＣＤが挿入されているのかＤＶＤが挿入されているのかを極めて簡単に認識することができる。
【００６６】
さらに、制御部１６０はステップＳ１０にて駆動部１５５の動作状態を判定し、再生動作状態でも記録動作状態でもない非動作状態ではステップＳ１に戻る。再生動作状態であればステップＳ１１にて光源１１の緑色ＬＥＤを点滅させ、記録動作状態であればステップＳ１２にて光源１１の赤色ＬＥＤと緑色ＬＥＤとを合成して黄色で点滅させて、ステップＳ１に戻る。なお、再生動作状態において緑色に点滅させ、記録動作状態において黄色に点滅させている状態においては、ステップＳ７ではステップＳ８またはＳ９に移行させる処理を行わず、そのままステップＳ１０に移行させる。
【００６７】
光源１１の点滅周期や輝度変化周期を１／ｆゆらぎで不規則に変化させれば、イルミネーション効果に加えてリラクゼーション効果も得ることができる。なお、１／ｆゆらぎとは縦軸にパワースペクトルの強さを、横軸に周波数をそれぞれ対数値でとったときのパワースペトクルの傾きが−１となる特性を有するゆらぎ（変動）をいう。
【００６８】
図１５に戻り、制御部１６０のＲＡＭ２０にユーザ設定テーブルを設け、光源１１の発光パターン（光色／点滅周期／輝度）を曲のタイトルやアーティスト名などによってユーザ自らがリモコン２２などから信号入力部２３を介してユーザ設定テーブルに設定入力することもできる。制御部１６０はディスクＤに記録されたＴＯＣ情報に基づいて曲のタイトルやアーティスト名を識別して、ユーザ設定テーブルに設定された発光パターンで光源１１を発光させる。
【００６９】
さらに、図１０に示す表示部４のバックライトとしてトレイ６２に設けた光源１１と同様の発光体で構成し、その発光体の発光制御を制御部１６０によって制御して、トレイ６２に設けた光源１１の発光制御と同調させるよう構成してもよい。
【００７０】
以上説明した第４実施形態においても、光源１１をトレイ６２の挿入方向側でありディスク搭載部７２，８２よりも筐体１側に設けているが、第４実施形態においてはこれに限定されることはなく、光源１１を光放射部６２Ａに内蔵したり、光源１１をトレイ６２ではなく筐体１の開口部５の近傍に設けて、トレイ６２を筐体１内に格納したときに光源１１の光が光放射部６２Ａだけを透過して外部に放射されるようにしてもよい。
【００７１】
ところで、以上説明した第１〜第４実施形態においては、ディスクＤとしてＣＤ，ＣＤ−Ｒ，ＤＶＤのような光ディスクを例としたが、光磁気ディスクであってもよく、本発明は各種ディスクの記録／再生装置に適用することができる。さらには、任意の情報記録媒体の記録／再生装置に適用することも可能である。
【図面の簡単な説明】
【００７２】
【図１】本発明の第１実施形態を示す斜視図である。
【図２】本発明の第１実施形態におけるトレイの平面図である。
【図３】本発明の第１実施形態におけるトレイの側面概略図である。
【図４】本発明の第１実施形態におけるトレイの前端部分の拡大図である。
【図５】本発明の第１実施形態におけるトレイの底面図である。
【図６】本発明の第１実施形態におけるトレイを筐体内に格納した状態を示す説明図である。
【図７】本発明の第１実施形態におけるトレイを筐体外に排出した状態を示す説明図である。
【図８】本発明の第２実施形態におけるトレイの斜視図である。
【図９】本発明の第３実施形態におけるトレイの平面図である。
【図１０】本発明の第４実施形態を示す斜視図である。
【図１１】本発明の第４実施形態におけるトレイの平面図である。
【図１２】本発明の第４実施形態におけるトレイの側面概略図である。
【図１３】本発明の第４実施形態におけるトレイの底面図である。
【図１４】本発明の第４実施形態におけるトレイを筐体内に格納した状態を示す説明図である。
【図１５】本発明の第４実施形態を説明するためのブロック図である。
【図１６】本発明の第４実施形態の一動作例を説明するためフローチャートである。
【符号の説明】
【００７３】
１  筐体
６，６０，６１，６２  トレイ
６Ａ，６０Ａ  前端部（光輝部）
７，８，７０，７２，８０，８２  ディスク搭載部
７Ａ，８Ａ，７０Ａ，８０Ａ  後部外周縁（光輝部）
１１，２１Ａ，２１Ｂ  光源
１２  光輝部
１５  ターンテーブル
１７  回路基板
１８  可撓性通電部材
１９  センサ（制御情報発生部）
６２Ａ  光放射部
７０Ｂ  突起（前部外周縁，光輝部）
７１  円弧溝（前部外周縁，光輝部）
１５０  光ピックアップ
１５５  駆動部
１６０  制御部
Ｄ  ディスク
【図１】
2006004589.tif 000003
【図２】
2006004589.tif 000004
【図３】
2006004589.tif 000005
【図４】
2006004589.tif 000006
【図５】
2006004589.tif 000007
【図６】
2006004589.tif 000008
【図７】
2006004589.tif 000009
【図８】
2006004589.tif 000010
【図９】
2006004589.tif 000011
【図１０】
2006004589.tif 000012
【図１１】
2006004589.tif 000013
【図１２】
2006004589.tif 000014
【図１３】
2006004589.tif 000015
【図１４】
2006004589.tif 000016
【図１５】
2006004589.tif 000017
【図１６】
2006004589.tif 000018